(57)【要約】【課題】１つの透過型の液晶本体を用いて液晶本体の表裏両面側から視認可能な薄型の液晶表示装置およびその液晶表示装置を備えた薄型かつ軽量の携帯電話を提供する。【解決手段】表面側に表示する第１表示エリア４４と裏面側に表示する第２表示エリア４５に区分された表示エリアを有する一枚の透過型の液晶本体４３と、第１表示エリア４４を裏面から照光する第１照光手段と、第２表示エリア４５を表面から照光する第２照光手段とを備える。【選択図】図４
2009104038.tif 000002
【特許請求の範囲】
【請求項１】
表面側に表示する第１表示エリアと裏面側に表示する第２表示エリアに区分された表示エリアを有する一枚の透過型の液晶本体と、
前記第１表示エリアを裏面から照光する第１照光手段と、
前記第２表示エリアを表面から照光する第２照光手段と、
を備えたことを特徴とする液晶表示装置。
【請求項２】
前記第１照光手段は、前記液晶本体の前記第１表示エリアの裏面側に配置された表側表示用の第１バックライト導光体と該第１バックライト導光体の側部に配置された第１光源とを備える、
請求項１に記載の液晶表示装置。
【請求項３】
前記第２照光手段は、前記液晶本体の前記第２表示エリアの表面側に配置された裏側表示用の第２バックライト導光体と該第２バックライト導光体の側部に配置された第２光源とを備える、
請求項１に記載の液晶表示装置。
【請求項４】
前記液晶本体の側部に配置され該液晶本体を駆動して該液晶本体に情報を表示させる液晶ドライバを備え、
前記液晶ドライバは前記第１表示エリアと前記第２表示エリアにそれぞれの情報を表示させる、
請求項１乃至３の何れか１項に記載の液晶表示装置。
【請求項５】
前記第２表示エリアは前記液晶本体内の長手方向に垂直な方向の側部に設けられた、
請求項１乃至４の何れか１項に記載の液晶表示装置。
【請求項６】
前記第２表示エリアは前記液晶本体内の長手方向の側部に設けられた、
請求項１乃至４の何れか１項に記載の液晶表示装置。
【請求項７】
前記第２表示エリアは複数の表示エリアを含む、
請求項１乃至６の何れか１項に記載の液晶表示装置。
【請求項８】
請求項１乃至７の何れか１項に記載の液晶表示装置を内蔵した表示部と該表示部の動作を操作する操作部とをヒンジで折り畳み可能に連結した携帯電話であって、
前記第２照光手段の前記第２光源が前記液晶本体の表面に対向する前記操作部の筐体側に設置されたことを特徴とする携帯電話。
【請求項９】
前記表示部に内蔵された前記液晶ドライバに接続され、前記操作部に設けられた液晶表示制御部を備え、
前記液晶表示制御部は前記液晶ドライバに前記第１表示エリアと前記第２表示エリアにそれぞれの情報を表示させる、
請求項８に記載の携帯電話。
【請求項１０】
表示部と該表示部の動作を操作する操作部とをヒンジで折り畳み可能かつ該ヒンジ部で前記表示部を回転可能に連結した携帯電話であって、
請求項１乃至５または７の何れか１項に記載の液晶表示装置を前記表示部に内蔵したことを特徴とする携帯電話。
【発明の詳細な説明】
【技術分野】
【０００１】
本発明は、液晶表示装置およびその液晶表示装置を内蔵した携帯電話に関し、特に携帯端末などに用いられ、一つの液晶本体の表側にメイン表示画面を裏側にサブ表示画面を設けた液晶表示装置およびその液晶表示装置を内蔵した携帯電話に関する。
【背景技術】
【０００２】
図１は従来技術による携帯電話の液晶の実装構造を示す図であり、（Ａ）は正面図であり、（Ｂ）は側面図であり、（Ｃ）は裏面図であり、図２は図１の（Ａ）の線１１−１１についての断面図であり、（Ａ）はメイン液晶本体の断面図であり、（Ｂ）はサブ液晶本体の断面図である。図１においてＦはメイン発光表示方向を示し、Ｒはサブ発光表示方向を示す。図１に示す携帯電話１０は図中上部の表示部と下部の操作部との間で折り畳み構造となっており表示部には表側と裏側の２枚のガラス板の間隙に液晶を封入した液晶本体を有するメイン液晶表示装置１４と同様な構成のサブ液晶表示装置１５の２つを内蔵する。携帯電話１０はレシーバ１６とマイクロフォン１７を有する。
【０００３】
従来技術による携帯電話の液晶表示装置２０は、メイン表側偏光板２０１、メイン液晶本体２０２、メイン裏側偏光板２０３、メイン裏側反射シート２０４、メイン表側表示用バックライト導光体２０５、ＬＥＤからなるメイン表側表示用光源２０６、メイン液晶ドライバ２０７、サブ裏側表示用バックライト導光体２１５、サブ裏側反射シート２１４、サブ裏側偏光板２１３、サブ液晶本体２１２、サブ表側偏光板２１１、サブ裏側表示用光源２１６およびサブ液晶ドライバ２１７を含んで構成される。
【０００４】
図３は従来技術による携帯電話の回路のブロック構成図である。携帯電話３０は、メイン液晶表示装置２０２のメイン液晶ドライバ２０７とサブ液晶表示装置２１２のサブ液晶ドライバ２１７の表示を制御する液晶表示制御部３１と、メイン表示エリア１４用の表側表示用光源２０６とサブ表示エリア１５用の裏側表示用光源２１６の照明を制御する照明制御部３２とを操作部に内蔵している。照明制御部３２は液晶表示制御部３１に送受信可能に接続されている。光源にはＬＥＤが使用される。操作部は筐体開閉検出センサ３３を内蔵し、筐体開閉検出センサ３３には例えば磁気センサが用いられ、操作部の磁気センサに対向する位置の表示部にマグネットが内蔵されている。筐体開閉検出センサ３３は液晶表示制御部３１に接続されている。
【０００５】
従来技術による携帯電話の液晶表示・照明の動作切り替えは一般に以下のように制御される。液晶表示制御部３１は筐体開閉検出で筐体開時にメイン表示エリア１４をオンにサブ表示エリア１５をオフに制御し、筐体閉時にメイン表示エリア１４をオフに筐体閉時にサブ表示エリア１５をオンに制御する。
照明制御部３２は筐体開閉検出で筐体開時に、表側表示用光源２０６を所定時間または操作中および操作後の所定時間オンに切り替え、裏側表示用光源２１６をオフに切り替える。一方、筐体閉時に表側表示用光源２０６をオフに裏側表示用光源２１６を所定時間オンに切り替える。
筐体閉時に通信の着信で裏側表示用光源２１６をオンに制御する。
筐体開時に通信の着信で表側表示用光源２０６をオンに制御する。
【０００６】
図１に示すように従来技術の携帯端末は折り畳み構造となっており、文字および画像の情報を表示するため携帯端末の表示部の表面側に透過型のメイン液晶本体を裏面側に透過型のサブ液晶本体を重ねて配置し表面側と裏面側にそれぞれ独立に情報を表示している。このように２つの液晶本体を重ねて配置した携帯端末は１つの液晶本体のみの携帯端末と比べて厚さが厚くなり、液晶表示装置の薄型化実現の妨げとなっている。
【０００７】
この解決策として、携帯端末の表示部を１つの液晶本体で構成し、表示部の筐体を回転させて表示切替する構造が実現されている。しかし、この構造は複雑で高価であり堅牢性の確保が難しいなどの問題がある。他の解決策として携帯端末の表示部を１つの液晶本体で構成し、液晶本体の表裏両面側から視認可能とするとともに薄さを維持した構造の携帯端末が特許文献１に開示されている。
【０００８】
特許文献１に記載の移動通信端末機に用いられる両面液晶表示装置は、一つの反射型の液晶本体の表裏両面側から視認可能とすべく、第一のメイン表示エリアと第二のサブ表示エリアに区分して表示する構造とし、偏光板と反射板をメイン表示エリアとサブ表示エリアに対称的に配置することを特徴とする。フォルダーカバーに連動して、開と閉の位置を検出し、表示エリアを切り替え、所定のエリアの窓に合わせて表示する。しかしながら、この液晶表示装置は反射型液晶でバックライトを使用する構造に限定される。
【０００９】
【特許文献１】特開２００１−２７７５６号公報（特許請求の範囲の［請求項１］、段落番号［００２３］〜［００２７］および図面の［図３］参照）。
【発明の開示】
【発明が解決しようとする課題】
【００１０】
従来技術では、図２の断面図に示すように、２つの液晶本体を組み合わせたことにより、以下のデメリットを発生させていた。
（イ）表示部全体の構造が厚くなる。
（ロ）回路部品、構造部品が多用されて重量が重くなる。
（ハ）回路部品、構造部品が多用されてコストが高くなる。
（ニ）液晶部の構造が複雑となり、液晶部を保護するための十分な強度が確保できない。
【００１１】
それゆえ、本発明は１つの透過型の液晶本体を用いて、偏光板を対称的に配置して、反射板の一部を非対称に配置して、液晶本体の表裏両面側から視認可能な薄型の液晶表示装置およびその液晶表示装置を備えた薄型化と軽量化を実現する携帯電話を提供することを目的とする。
【課題を解決するための手段】
【００１２】
上記目的を達成する本発明の液晶表示装置は、表面側に表示する第１表示エリアと裏面側に表示する第２表示エリアに区分された表示エリアを有する一枚の透過型の液晶本体と、前記第１表示エリアを裏面から照光する第１照光手段と、前記第２表示エリアを表面から照光する第２照光手段と、を備えたことを特徴とする。
【００１３】
上記液晶表示装置において、前記第１照光手段は、前記液晶本体の前記第１表示エリアの裏面側に配置された表側表示用の第１バックライト導光体と該第１バックライト導光体の側部に配置された第１光源とを備える。
【００１４】
上記液晶表示装置において、前記第２照光手段は、前記液晶本体の前記第２表示エリアの表面側に配置された裏側表示用の第２バックライト導光体と該第２バックライト導光体の側部に配置された第２光源とを備える。
【００１５】
上記液晶表示装置において、前記液晶本体の側部に配置され該液晶本体を駆動して該液晶本体に情報を表示させる液晶ドライバを備え、前記液晶ドライバは前記第１表示エリアと前記第２表示エリアにそれぞれの情報を表示させる。
【００１６】
上記液晶表示装置において、前記第２表示エリアは前記液晶本体内の長手方向に垂直な方向の側部に設けられる。
上記液晶表示装置において、前記第２表示エリアは前記液晶本体内の長手方向の側部に設けられる。
上記液晶表示装置において、前記第２表示エリアは複数の表示エリアを含む。
【００１７】
上記目的を達成する本発明の携帯電話は、上記液晶表示装置を内蔵した表示部と該表示部の動作を操作する操作部とをヒンジで折り畳み可能に連結した携帯電話であって、前記第２照光手段の前記第２光源が前記液晶本体の表面に対向する前記操作部の筐体側に設置されることを特徴とする。
【００１８】
上記携帯電話において、前記表示部に内蔵された前記液晶ドライバに接続され、前記操作部に設けられた液晶表示制御部を備え、前記液晶表示制御部は前記液晶ドライバに前記第１表示エリアと前記第２表示エリアにそれぞれの情報を表示させる。
【００１９】
上記目的を達成する本発明の携帯電話は、表示部と該表示部の動作を操作する操作部とをヒンジで折り畳み可能かつ該ヒンジ部で前記表示部を回転可能に連結した携帯電話であって、上記液晶表示装置を前記表示部に内蔵したことを特徴とする。
【発明の効果】
【００２０】
本発明の液晶表示装置は、一つの液晶本体でメインとサブの表示エリアを併用し個々に表示と照光を制御することで、液晶本体の表裏両面側から視認可能とするとともに、従来の液晶表示装置の厚さを半減できるというメリットを有する。
サブ表示エリアの表示の役割としては、携帯電話を折り畳んだ状態で、通信、稼動状態が表示できれば良いので、横長の表示エリアを設定することで、デザイン性を阻害することなく、機能的な表示が可能となる。
また、液晶ドライバおよび照光系の構造部品が削減できサブ液晶本体の分だけ部品コストを削減可能となる。
また、重量についてもサブ液晶分の重量分だけ軽量となる。
【発明を実施するための最良の形態】
【００２１】
以下、添付図面を参照しつつ本発明の実施形態を詳細に説明する。
図４は本発明による携帯電話の液晶の実装構造を示す図であり、（Ａ）は正面図であり、（Ｂ）は側面図であり、（Ｃ）は裏面図である。図４に示す携帯電話４０は図中上部の表示部と下部の操作部との間で折り畳み構造となっており表示部には表側と裏側の２つのガラス板の間隙に液晶を封入した透過型の液晶本体を有する液晶表示装置４３が内蔵される。液晶表示装置４３は図４の（Ｂ）にＦで示す表側のメイン表示窓内に視認可能に表示する第１のメイン表示エリア４４とＲで示す裏側のサブ表示窓内に視認可能に表示する第２のサブ表示エリア４５に区分される。なお携帯電話４０はレシーバ４６とマイクロフォン４７を有する。本発明では、表裏両面側から視認可能な携帯端末４０を１つの液晶本体からなる液晶表示装置４３で構成できるので携帯端末４０の奥行きは液晶本体２つ分を要する従来技術による液晶表示装置内蔵の携帯端末の半分となる。次に、液晶表示装置４３の第１および第２実施形態について図５を用いて以下に説明する。
【００２２】
図５は図４の（Ａ）の線４１−４１についての断面図であり、（Ａ）は第１実施形態に係る携帯電話の液晶表示装置の実装構造を示す図であり、（Ｂ）は第２実施形態に係る携帯電話の液晶表示装置の実装構造を示す図である。図５においてＦはメイン発光表示方向を示し、Ｒはサブ発光表示方向を示す。第１実施形態の携帯電話の液晶表示装置５０は、表側偏光板５０１、液晶本体５０２、裏側偏光板５０３、裏側反射シート５０４、表側表示用バックライト導光体５０５、ＬＥＤからなる表側表示用光源５０６、液晶ドライバ５０７、裏側表示用バックライト導光体５０８および裏側表示用光源５０９を含んで構成される。メインとサブの視認性を鮮明とするため、表側偏光板５０１と裏側偏光板５０３は、従来どおり液晶本体５０２の全面を覆うように配置し、裏側反射シ―ト５０４は、メイン照光領域のみに配置し、サブ領域には配置しないことを特徴としている。
【００２３】
第２実施形態の携帯電話４０の液晶表示装置５１は、表側偏光板５０１、液晶本体５０２、裏側偏光板５０３、裏側反射シート５０４、表側表示用バックライト導光体５０５およびＬＥＤからなる表側表示用光源５０６および液晶ドライバ５０７を含んで構成される。裏側表示用バックライト導光体５０８および裏側表示用光源５０９は液晶表示装置５０２のサブ表示エリアに対向する携帯端末の操作部の筐体に設置される。
【００２４】
図６は本発明による携帯電話の回路のブロック構成図である。携帯電話６０は、液晶表示装置５０２の液晶ドライバ５０７の表示を制御する液晶表示制御部６１とメイン表示エリア４４用の表側表示用光源５０６とサブ表示エリア４５用の裏側表示用光源５０９の照明を制御する照明制御部６２とを操作部に内蔵している。照明制御部６２は液晶表示制御部６１に送受信可能に接続されている。光源にはＬＥＤが使用される。操作部は筐体開閉検出センサ６３を内蔵し、筐体開閉検出センサ６３には例えば磁気センサが用いられ、操作部の磁気センサに対向する位置の表示部にマグネットが内蔵されている。筐体開閉検出センサ６３は液晶表示制御部６１に接続されている。
【００２５】
液晶ドライバ５０７は液晶本体５０２の側部に配置され液晶本体５０２を駆動して液晶本体５０２に情報を表示させる。液晶ドライバ５０７は第１のメイン表示エリア４４と第２のサブ表示エリア４５にそれぞれの情報を表示させる。
【００２６】
液晶表示制御部６１は操作部に設けられた表示部に内蔵された液晶ドライバ５０７に接続される。液晶表示制御部６１は液晶ドライバ５０７にメイン表示エリア４４とサブ表示エリア４４にそれぞれの情報を表示させる。
【００２７】
本発明による携帯電話の液晶表示・照明の動作切り替えは以下のように制御される。
液晶表示制御部６１は筐体開閉検出センサ６３の信号を受け筐体が開と判定したときはメイン表示エリア４４をオンに制御し、筐体が閉と判定したときはメイン表示エリア４４をオフに制御する。一方、筐体が閉と判定したときはメイン表示エリア４４をオフに制御し、サブ表示エリア４５をオンに制御する。
【００２８】
照明制御部６２は筐体開閉検出で筐体開時に、表側表示用光源５０６を所定時間または操作中および操作後の所定時間オンに切り替え、裏側表示用光源５０９をオフに切り替える。一方、筐体閉時に表側表示用光源５０６をオフに裏側表示用光源５０９を所定時間オンに切り替える。
筐体閉時に通信の着信で裏側表示用光源５０９をオンに制御する。
筐体開時に通信の着信で表側表示用光源５０６をオンに制御する。
【００２９】
サブ表示エリア４５を、液晶本体５０２の端部の液晶ドライバ５０７から遠い位置に設けることにより、メイン表示エリア４４用の表側表示用光源５０６の明るさを効率的に利用することができ、メイン表示エリア４４とサブ表示エリア４５を無駄なく最小限に構成することができる。なお、表側表示用バックライト導光体５０５用の表側表示用光源５０６と裏側表示用バックライト導光体５０８用の裏側表示用光源５０９は、液晶本体５０２のメイン表示エリア４４とサブ表示エリア４５を選択的に表示させるときに切り替えれば良い。
【００３０】
図７は本発明の第３実施形態に係る携帯電話の液晶の実装構造を示す図であり、（Ａ）は正面図であり、（Ｂ）は裏面図である。サブ表示窓を表示部の長手方向に１つだけ設けた例を示す。
【００３１】
図８は本発明の第４実施形態に係る携帯電話の液晶の実装構造を示す図であり、（Ａ）は正面図であり、（Ｂ）は裏面図である。サブ表示窓を表示部の長手方向に２つ設けた例を示す。例えば、第１のサブ表示窓にはデジタル時計を表示し、第２のサブ表示窓には電池の寿命を示すマークを表示する。
【００３２】
図９は従来技術による携帯電話の液晶の実装構造を示す図であり、（Ａ）は側面図であり、（Ｂ）は非回転裏面図であり、（Ｃ）は回転裏面図である。図９に示すような回転機構９１を有する携帯電話の場合、回転機構９１がサブ液晶１５を覆うので図１に示すように２つの液晶本体設けても裏側から視認可能に表示することができない。
【００３３】
図１０は本発明の第５実施形態に係る携帯電話の液晶の実装構造を示す図であり、（Ａ）は側面図であり、（Ｂ）は非回転裏面図であり、（Ｃ）は回転裏面図である。図１０に示す携帯電話１００は液晶表示装置１０３を内蔵した表示部とその表示部の動作を操作する操作部とをヒンジ部１０２で折り畳み可能かつヒンジ部１０２で表示部を回転可能に連結した構成となっている。携帯電話１００は図９に示す従来技術による携帯電話と異なり、本発明では図１０に示すようにサブ表示エリア１０５を回転機構１０１の回転に干渉しない位置に設けることにより裏側から視認可能に表示することができる。
【図面の簡単な説明】
【００３４】
【図１】従来技術による携帯電話の液晶の実装構造を示す図であり、（Ａ）は正面図であり、（Ｂ）は側面図であり、（Ｃ）は裏面図である。
【図２】図１の（Ａ）の線１１−１１についての断面図であり、（Ａ）はメイン液晶表示装置の断面図であり、（Ｂ）はサブ液晶表示装置の断面図である。
【図３】従来技術による携帯電話の回路のブロック構成図である。
【図４】本発明による携帯電話の液晶の実装構造を示す図であり、（Ａ）は正面図であり、（Ｂ）は側面図であり、（Ｃ）は裏面図である。
【図５】図４の（Ａ）の線４１−４１についての断面図であり、（Ａ）は第１実施形態に係る携帯電話の液晶表示装置の実装構造を示す図であり、（Ｂ）は第２実施形態に係る携帯電話の液晶表示装置の実装構造を示す図である。
【図６】本発明による携帯電話の回路のブロック構成図である。
【図７】本発明の第３実施形態に係る携帯電話の液晶の実装構造を示す図であり、（Ａ）は正面図であり、（Ｂ）は裏面図である。
【図８】本発明の第４実施形態に係る携帯電話の液晶の実装構造を示す図であり、（Ａ）は正面図であり、（Ｂ）は裏面図である。
【図９】従来技術による携帯電話の液晶の実装構造を示す図であり、（Ａ）は側面図であり、（Ｂ）は非回転裏面図であり、（Ｃ）は回転裏面図である。
【図１０】本発明の第５実施形態に係る携帯電話の液晶の実装構造を示す図であり、（Ａ）は側面図であり、（Ｂ）は非回転裏面図であり、（Ｃ）は回転裏面図である。
【符号の説明】
【００３５】
４０、６０、１００    携帯電話
４３、５０、５１、１０３    液晶表示装置
４４    メイン表示エリア
４５、１０５    サブ表示エリア
６１    液晶表示制御部
６２    照明制御部
６３    筐体開閉検出センサ
１０２    ヒンジ部
５０１    表側偏光板
５０２    液晶本体
５０３    裏側偏光板
５０４    裏側反射シート
５０５    表側表示用バックライト導光体
５０６    表側表示用光源
５０７    液晶ドライバ
５０８    裏側表示用バックライト導光体
５０９    裏側表示用光源
【図１】
2009104038.tif 000003
【図２】
2009104038.tif 000004
【図３】
2009104038.tif 000005
【図４】
2009104038.tif 000006
【図５】
2009104038.tif 000007
【図６】
2009104038.tif 000008
【図７】
2009104038.tif 000009
【図８】
2009104038.tif 000010
【図９】
2009104038.tif 000011
【図１０】
2009104038.tif 000012